(57)【特許請求の範囲】
【請求項１】
トレッド幅方向外側の領域においてタイヤ周方向に延びる周方向溝が形成されるとともに、トレッド幅方向の中央部からトレッド幅方向外側に延び、タイヤ周方向に対して傾斜するハイアングル傾斜溝が複数形成されたタイヤであって、
前記周方向溝からトレッド幅方向内側に向かって延び、前記ハイアングル傾斜溝よりもトレッド幅方向と成す鋭角側の角度が小さいローアングル傾斜溝が形成され、
前記ローアングル傾斜溝は、トレッド幅方向を基準として、前記ハイアングル傾斜溝の傾斜方向と逆側に傾斜し、
前記ハイアングル傾斜溝は、タイヤ赤道線を基準として逆側に形成されている前記ハイアングル傾斜溝と交差し、
前記ローアングル傾斜溝は、前記ハイアングル傾斜溝のトレッド幅方向外側の端部に連通するとともに、前記ローアングル傾斜溝のトレッド幅方向内側の端部は、前記ハイアングル傾斜溝に隣接する隣接ハイアングル傾斜溝の中間部に連通するタイヤ。
【請求項２】
前記ハイアングル傾斜溝は、タイヤ赤道線を基準として逆側に形成された互いに隣接する２つの前記ハイアングル傾斜溝と交差する請求項１に記載のタイヤ。
【請求項３】
前記ハイアングル傾斜溝の溝幅は、トレッド幅方向外側に向かうに連れて広くなる請求項１または２に記載のタイヤ。
【請求項４】
前記周方向溝は、トレッド幅方向外側からトレッド幅方向内側に屈曲する屈曲部を有し、前記ローアングル傾斜溝のトレッド幅方向外側の端部は、前記屈曲部に連通する請求項１乃至３の何れか一項に記載に記載のタイヤ。
【請求項５】
タイヤ赤道線を基準とした一方側に形成された前記周方向溝と、タイヤ赤道線を基準とした逆側に形成された前記周方向溝との間には、４種類の形状の陸部が形成される請求項１乃至４の何れか一項に記載のタイヤ。
【請求項６】
前記ハイアングル傾斜溝のトレッド幅方向における内側端は、トレッド幅方向における中央部に設けられる陸部内において終端する請求項１乃至５の何れか一項に記載のタイヤ。
【発明の詳細な説明】
【技術分野】
【０００１】
本発明は、タイヤ周方向に延びる周方向溝が形成されるとともに、タイヤ周方向に対して傾斜する傾斜溝が複数形成されたタイヤに関する。
【背景技術】
【０００２】
従来、乗用自動車などに装着される空気入りタイヤ（以下、タイヤ）では、湿潤路及び氷雪路での性能を両立するため、様々なトレッドパターンが用いられている。例えば、トレッド幅方向外側にタイヤ周方向に延びる周方向溝が形成されるとともに、トレッド幅方向の中央部にタイヤ周方向に対して傾斜する傾斜溝が複数形成されたタイヤが知られている（特許文献１参照）。
【０００３】
また、当該傾斜溝は、周方向溝に連通している。このような周方向溝と傾斜溝との組み合わせによって、排水性を確保しつつ、雪上でのトラクションや制動力を向上させている。
【先行技術文献】
【特許文献】
【０００４】
【特許文献１】特開２００７−１６１０５７号公報（第１図）
【発明の概要】
【発明が解決しようとする課題】
【０００５】
しかしながら、近年の乗用自動車の性能向上に伴って、湿潤路及び氷雪路での性能をより高い次元で両立したタイヤが求められていた。
【０００６】
そこで、本発明は、このような状況に鑑みてなされたものであり、湿潤路及び氷雪路での性能をより高い次元で両立し得るタイヤの提供を目的とする。
【課題を解決するための手段】
【０００７】
本発明の特徴は、トレッド幅方向（トレッド幅方向DT）外側の領域においてタイヤ周方向（タイヤ周方向DC）に延びる周方向溝（周方向溝20, 30）が形成されるとともに、トトレッド幅方向の中央部からトレッド幅方向外側に延び、タイヤ周方向に対して傾斜するハイアングル傾斜溝（ハイアングル傾斜溝100）が複数形成されたタイヤ（空気入りタイヤ10）であって、前記周方向溝からトレッド幅方向内側に向かって延び、前記ハイアングル傾斜溝よりもトレッド幅方向と成す鋭角側の角度が小さいローアングル傾斜溝（ローアングル傾斜溝200）が形成され、前記ハイアングル傾斜溝は、タイヤ赤道線（タイヤ赤道線CL）を基準として逆側に形成されている前記ハイアングル傾斜溝と交差し、前記ローアングル傾斜溝は、前記ハイアングル傾斜溝のトレッド幅方向外側の端部に連通するとともに、前記ローアングル傾斜溝のトレッド幅方向内側の端部は、前記ハイアングル傾斜溝に隣接する隣接ハイアングル傾斜溝の中間部に連通することを要旨とする。
【発明の効果】
【０００８】
本発明の特徴によれば、湿潤路及び氷雪路での性能をより高い次元で両立し得るタイヤを提供することができる。
【図面の簡単な説明】
【０００９】
【図１】本発明の実施形態に係る空気入りタイヤ10のトレッドの一部平面展開図である。
【図２】本発明の実施形態に係る空気入りタイヤ10のトレッドの一部拡大平面図である。
【発明を実施するための形態】
【００１０】
次に、本発明に係るタイヤ（空気入りタイヤ）の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１１】
したがって、具体的な寸法などは以下の説明を参酌して判断すべきである。また、図面相互間においても互いの寸法の関係や比率が異なる部分が含まれ得る。
【００１２】
（１）空気入りタイヤの概略構成
図１は、本実施形態に係る空気入りタイヤ10のトレッドの一部平面展開図である。図１に示すように、空気入りタイヤ10には、周方向溝20及び周方向溝30が形成される。
【００１３】
空気入りタイヤ10は、降雪時の使用に耐え得るいわゆる冬用タイヤであり、自動車への装着時における回転方向が指定されるトレッドパターンを有する。ここで言う冬用タイヤとは、氷雪路での性能を重視したスタッドレスタイヤと、氷雪路及び非氷雪路での性能をバランスよく確保したオールシーズン用タイヤなどを含むタイヤのことを言う。なお、空気入りタイヤ10には、空気に代えて窒素ガスなどの不活性ガスを充填してもよい。また、図１において、細線部分は、正規内圧及び正規荷重時には、路面に接地しない領域を意味している。
【００１４】
周方向溝20, 30は、トレッド幅方向DT外側の領域において、タイヤ周方向DCに延びる。周方向溝20と周方向溝30との間には、路面と接地する陸部40が設けられる。
【００１５】
陸部40は、トレッド幅方向DTにおける中央部に設けられる。なお、トレッド幅方向DTの中央部とは、日本自動車タイヤ協会（JATMA）などで規定される正規内圧に設定された空気入りタイヤ10に正規荷重が付加された状態において、タイヤ赤道線CLを含むトレッド幅の６０％の領域内を意味する。
【００１６】
陸部40には、複数のハイアングル傾斜溝100及びローアングル傾斜溝200が形成される。なお、空気入りタイヤ10には、図示しないサイプが形成されていてもよい。
【００１７】
ハイアングル傾斜溝100は、トレッド幅方向DTの中央部からトレッド幅方向DT外側に延び、タイヤ周方向DCに対して傾斜する。ハイアングル傾斜溝100がタイヤ周方向DCと成す鋭角側の角度は、４５度以下であることが好ましい。
【００１８】
ローアングル傾斜溝200は、周方向溝20（または周方向溝30）からトレッド幅方向DT内側に向かって延び、ハイアングル傾斜溝100よりもトレッド幅方向DTと成す鋭角側の角度が小さい。具体的には、ローアングル傾斜溝200がトレッド幅方向DTと成す角度は、４５度未満であることが好ましい。
【００１９】
また、ローアングル傾斜溝200は、トレッド幅方向DTを基準として、ハイアングル傾斜溝100の傾斜方向と逆側に傾斜するように形成されることが好ましい。
【００２０】
（２）陸部の形状
図２は、空気入りタイヤ10のトレッドの一部拡大平面図である。図２では、ハイアングル傾斜溝100について、ハイアングル傾斜溝110〜ハイアングル傾斜溝140を例として説明する。また、ローアングル傾斜溝200について、ローアングル傾斜溝210〜ローアングル傾斜溝240を例として説明する。
【００２１】
例えば、ハイアングル傾斜溝130は、タイヤ赤道線CLを基準として逆側に形成されているハイアングル傾斜溝120と交差する。具体的には、ハイアングル傾斜溝130は、タイヤ赤道線CLを基準として逆側に形成された互いに隣接する２つのハイアングル傾斜溝120及びハイアングル傾斜溝140と交差する。また、ハイアングル傾斜溝110（〜140）の溝幅は、トレッド幅方向DT外側に向かうに連れて広くなる。
【００２２】
また、例えば、ローアングル傾斜溝210は、ハイアングル傾斜溝110のトレッド幅方向DT外側の端部に連通する。さらに、ローアングル傾斜溝210のトレッド幅方向内側の端部は、ハイアングル傾斜溝110にタイヤ周方向DCにおいて隣接するハイアングル傾斜溝130（隣接ハイアングル傾斜溝）の中間部に連通する。
【００２３】
同様に、ローアングル傾斜溝220, ローアングル傾斜溝230, ローアングル傾斜溝240は、ハイアングル傾斜溝120, ハイアングル傾斜溝130, ハイアングル傾斜溝140のトレッド幅方向DT外側の端部に連通する。また、ローアングル傾斜溝220（ローアングル傾斜溝230, ローアングル傾斜溝240）のトレッド幅方向DT内側の端部は、ハイアングル傾斜溝120（ハイアングル傾斜溝130, ハイアングル傾斜溝140）にタイヤ周方向DCにおいて隣接するハイアングル傾斜溝140（隣接ハイアングル傾斜溝）の中間部に連通する。
【００２４】
周方向溝20は、トレッド幅方向DT外側からトレッド幅方向DT内側に屈曲する屈曲部25を有する。ローアングル傾斜溝220, 240のトレッド幅方向外側の端部は、屈曲部25に連通する。同様に、周方向溝30は、トレッド幅方向DT外側からトレッド幅方向DT内側に屈曲する屈曲部35を有する。ローアングル傾斜溝210, 230のトレッド幅方向外側の端部は、屈曲部35に連通する。
【００２５】
（３）作用・効果
空気入りタイヤ10によれば、周方向溝20, 30からトレッド幅方向DT内側に向かって延び、ハイアングル傾斜溝100よりもトレッド幅方向DTと成す鋭角側の角度が小さいローアングル傾斜溝200が形成される。また、ハイアングル傾斜溝100は、タイヤ赤道線CLを基準として逆側に形成されているハイアングル傾斜溝100と交差する。さらに、ローアングル傾斜溝200は、ハイアングル傾斜溝100のトレッド幅方向DT外側の端部に連通するとともに、ローアングル傾斜溝200のトレッド幅方向DT内側の端部は、ハイアングル傾斜溝100にタイヤ周方向DCにおいて隣接するハイアングル傾斜溝100（隣接ハイアングル傾斜溝）の中間部に連通する。
【００２６】
このため、陸部40に形成されているこれらの溝部に入り込んだ雪は、逃げ場を規制されるため、結果的に雪柱せん断力が増大する。したがって、氷雪路におけるトラクションや制動力が向上する。具体的には、空気入りタイヤ10は、回転方向が指定されるため、制動時には、溝部に入り込んだ雪がハイアングル傾斜溝100などの先端でせき止められるようになるため、制動力が向上する。また、発進加速時には、ハイアングル傾斜溝100とローアングル傾斜溝200との交差部分で互いぶつかるようになるため、トラクションが向上する。
【００２７】
また、ハイアングル傾斜溝100は、周方向溝20, 30に連通するため、陸部40に入り込んだ雨水を効率的に排水できる。
【００２８】
すなわち、空気入りタイヤ10によれば、湿潤路及び氷雪路での性能を高い次元で両立し得る。
【００２９】
本実施形態では、ハイアングル傾斜溝100は、タイヤ赤道線CLを基準として逆側に形成された互いに隣接する２つのハイアングル傾斜溝100と交差する。このため、陸部40に形成されているこれらの溝部に入り込んだ雪は、さらに逃げ場を規制されるため、氷雪路におけるトラクションや制動力の更なる向上に寄与し得る。
【００３０】
本実施形態では、ハイアングル傾斜溝100の溝幅は、トレッド幅方向DT外側に向かうに連れて広くなる。つまり、トレッド幅方向DT外側からハイアングル傾斜溝100に入り込んだ雪は、溝幅が徐々に狭くなるとともに他のハイアングル傾斜溝100と交差するため、さらに逃げ場を規制される。したがって、氷雪路におけるトラクションや制動力の更なる向上に寄与し得る。
【００３１】
本実施形態では、ハイアングル傾斜溝100のトレッド幅方向DT外側の端部は、屈曲部25, 35に連通する。このような屈曲部25, 35によっても雪柱せん断力が増大し、氷雪路におけるトラクションや制動力の更なる向上に寄与し得る。
【００３２】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００３３】
例えば、上述した実施形態では、ハイアングル傾斜溝100のトレッド幅方向DT外側の端部は、屈曲部25, 35に連通していたが、屈曲部25, 35は、必ずしも形成されていなくても構わない。
【００３４】
上述した実施形態では、ハイアングル傾斜溝100の溝幅は、トレッド幅方向DT外側に向かうに連れて広くなっていたが、ハイアングル傾斜溝100の溝幅は、変化することなく一定でも構わない。
【００３５】
上述した実施形態では、ハイアングル傾斜溝100は、タイヤ赤道線CLを基準として逆側に形成された互いに隣接する２つのハイアングル傾斜溝100と交差していたが、ハイアングル傾斜溝100は、逆側に形成された何れか１つのハイアングル傾斜溝100と交差するようにしてもよい。
【００３６】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００３７】
10…空気入りタイヤ
20…周方向溝
25, 35…屈曲部
30…周方向溝
40…陸部
100, 110, 120, 130, 140…ハイアングル傾斜溝
200, 210, 220, 230, 240…ローアングル傾斜溝
【図１】
0005860625.tif 000002
【図２】
0005860625.tif 000003